(57)【要約】【課題】  展示レイアウトの変更などが容易で、かつ、外観を良好に保つことが可能なディスプレイパットを提供する。【解決手段】  携帯端末やその模型を含む展示物Ｓを展示するためのディスプレイパット１であって、盤状で、展示物Ｓを載置可能なパット本体２と、パット本体２同士を着脱自在に連結する磁石３と、を備える。【選択図】  図１
0003205726.tif 000002
【実用新案登録請求の範囲】
【請求項１】
携帯端末やその模型を含む展示物を展示するためのディスプレイパットであって、
盤状で、前記展示物を載置可能なパット本体と、
前記パット本体同士を着脱自在に連結する連結手段と、
を備えることを特徴とするディスプレイパット。
【請求項２】
前記連結手段は、前記パット本体の側面に配設された磁石で構成されている、
ことを特徴とする請求項１に記載のディスプレイパット。
【請求項３】
前記パット本体の上面に配設され、前記展示物を所定の角度で保持する展示物ホルダを備える、
ことを特徴とする請求項１または２のいずれか１項に記載のディスプレイパット。
【考案の詳細な説明】
【技術分野】
【０００１】
この考案は、スマートフォンやスマートウォッチなどの携帯端末や、その模型を含む展示物を展示するためのディスプレイパットに関する。
【背景技術】
【０００２】
携帯端末やその付属品などを販売する携帯ショップでは、例えば、携帯端末やその模型を展示し、顧客が手に取って使い勝手などを確認できるようになっている。また、携帯端末などの展示物を効率良く際立たせることができる、という展示物保持部材が知られている（例えば、特許文献１参照。）。
【０００３】
この展示物保持部材は、設置部側保持部材と展示物側保持部材とから構成され、設置部側保持部材は、保持部材を設置するテーブルなどに両面テープや接着等により接合され、展示物側保持部材は、展示物の裏面に両面テープや接着等により接合される。また、設置部側保持部材の表面側に凹部が形成され、この凹部に展示物側保持部材が装着可能となっている。さらに、設置部側保持部材の凹部の内面に磁石が設けられ、展示物側保持部材の内部にも磁石が設けられ、凹部に展示物側保持部材を装着することで、磁石同士が接合して展示物が展示物保持部材で保持されるものである。
【先行技術文献】
【特許文献】
【０００４】
【特許文献１】実用新案登録第３１５９１８４号公報
【考案の概要】
【考案が解決しようとする課題】
【０００５】
ところで、携帯ショップでは、新しい携帯端末の入荷や携帯端末の売れ行き傾向などに応じて、携帯端末などの展示レイアウトを変える場合がある。このような場合、特許文献１の技術では、両面テープや接着等で設置部側保持部材がテーブルなどに設置されているため、レイアウトの変更に手間と時間がかかるばかりでなく、携帯端末やテーブルに接着剤などが付着して、見栄えや外観を損ねてしまう場合がある。
【０００６】
一方、設置部側保持部材がテーブルなどに固定されていないと、顧客が携帯端末を繰り返し操作したりすることで、設置部側保持部材が移動してしまい、展示の見栄えや外観を損ねてしまう場合がある。
【０００７】
そこでこの考案は、展示レイアウトの変更などが容易で、かつ、外観を良好に保つことが可能なディスプレイパットを提供することを目的とする。
【課題を解決するための手段】
【０００８】
上記目的を達成するために請求項１に記載の考案は、携帯端末やその模型を含む展示物を展示するためのディスプレイパットであって、盤状で、前記展示物を載置可能なパット本体と、前記パット本体同士を着脱自在に連結する連結手段と、を備えることを特徴とする。
【０００９】
請求項２に記載の考案は、請求項１に記載のディスプレイパットにおいて、前記連結手段は、前記パット本体の側面に配設された磁石で構成されている、ことを特徴とする。
【００１０】
請求項３に記載の考案は、請求項１または２に記載のディスプレイパットにおいて、前記パット本体の上面に配設され、前記展示物を所定の角度で保持する展示物ホルダを備える、ことを特徴とする。
【考案の効果】
【００１１】
請求項１に記載の考案によれば、連結手段を介してパット本体同士を連結することで、複数のディスプレイパットが一体的に構成される。このため、顧客が展示物を繰り返し操作したりしても、ディスプレイパットが移動することが抑制・防止され、展示の見栄えや外観を保つことが可能となる。
【００１２】
一方、連結手段による連結を解除して各パット本体を分離し、所望の展示レイアウトに合わせて各パット本体を配置することで、展示レイアウトの変更などを容易かつ迅速に行うことができる。
【００１３】
請求項２に記載の考案によれば、連結手段が磁石で構成されているだけであるため、容易にかつ低コストで製作することができる。また、連結手段としての磁石がパット本体に配設され、パット本体と連結手段とが一体的であるため、取り扱いや保管などが容易となる。
【００１４】
請求項３に記載の考案によれば、展示物ホルダによって展示物が所定の角度で保持されるため、展示の見栄えや外観、見やすさを良好にすることが可能となる。
【図面の簡単な説明】
【００１５】
【図１】この考案の実施の形態１に係るディスプレイパットを示す斜視図である。
【図２】この考案の実施の形態２に係るディスプレイパットを示す斜視図である。
【考案を実施するための形態】
【００１６】
以下、この考案を図示の実施の形態に基づいて説明する。
【００１７】
（実施の形態１）
図１は、この実施の形態に係るディスプレイパット１を示す斜視図である。このディスプレイパット１は、携帯端末やその模型（おもちゃ）を含む展示物Ｓを展示するためのディスプレイ体であり、パット本体２と磁石（連結手段）３とを備えている。
【００１８】
パット本体２は、盤状で、展示物Ｓを上面に載置可能なベースである。すなわち、透明なアクリル材で構成され、平面形状が略長方形の盤体であり、平面の大きさは、展示物Ｓを安定して載せられるように設定されている。
【００１９】
磁石３は、パット本体２同士を着脱自在に連結する連結手段であり、パット本体２の側面２１、２２に配設されている。すなわち、磁石３は、略円盤状の磁石で、パット本体２の長辺側の両側面２１、２２にそれぞれ、２つの凹部が長手方向に沿って形成されている。そして、これらの凹部に磁石３が装着、固定されており、磁石３は、両側面２１、２２からわずかに突出している。
【００２０】
また、両側面２１、２２の磁石３は、同位置つまり対向する位置に配設され、あるパット本体２の側面２１、２２と他のパット本体２の側面２１、２２を合わせることで、磁石３が接合してパット本体２同士が連結される。一方、磁石３の接合力に抗して２つのパット本体２を離すことで、パット本体２同士の連結が解除される。
【００２１】
このような構成のディスプレイパット１によれば、磁石３を介してパット本体２同士を連結することで、複数のディスプレイパット１が一体的に構成される。このため、顧客が展示物Ｓを繰り返し操作したりしても、ディスプレイパット１が移動することが抑制・防止され、展示の見栄えや外観を保つことが可能となる。
【００２２】
一方、磁石３による連結を解除して各パット本体２を分離し、所望の展示レイアウトに合わせて各パット本体２つまり各ディスプレイパット１を配置することで、展示レイアウトの変更などを容易かつ迅速に行うことができる。
【００２３】
また、連結手段が磁石３で構成されているだけであるため、容易にかつ低コストでディスプレイパット１を製作することができる。また、連結手段としての磁石３がパット本体２に配設され、パット本体２と連結手段とが一体的であるため、取り扱いや保管などが容易となる。
【００２４】
さらに、パット本体２つまりディスプレイパット１全体が透明なため、美感を与えて展示の見栄えや外観が向上するばかりでなく、展示物Ｓを持たなくても背面側を含めて展示物Ｓ全体を見ることができ、展示効果（見やすさ等）が向上する。
【００２５】
（実施の形態２）
図２は、この実施の形態に係るディスプレイパット１０を示す斜視図である。この実施の形態では、展示物ホルダ４を備える点で実施の形態１と構成が異なり、実施の形態１と同等の構成については、同一符号を付することでその説明を省略する。
【００２６】
展示物ホルダ４は、パット本体２の上面に配設され、展示物Ｓを所定の角度で保持するホルダである。すなわち、透明なアクリル材で構成され、基部４１とホルダ部４２とを備える。
【００２７】
基部４１とホルダ部４２は、共に板状で、基部４１の一辺がホルダ部４２の背面に垂直に接続され、基部４１の対向辺（上記一辺に対向する辺）がパット本体２の上面に固定されている。これにより、ホルダ部４２の上面がパット本体２の上面に対して所定の角度で傾いている。
【００２８】
ここで、ホルダ部４２は、平面形状が略長方形で、長辺がパット本体２の長辺と略平行に配設され、上辺側の短辺が高くなるように傾いている。この傾斜角（所定の角度）は、顧客の平均的な身長などを考慮し、展示物Ｓが保持された状態で、顧客が展示物Ｓを見やすいように設定されている。
【００２９】
また、ホルダ部４２の上面には、２つのシリコーンシート（滑り止め）４３が配設され、ホルダ部４２の上面に展示物Ｓを載せた状態で、展示物Ｓが滑らずに安定して保持されるようになっている。
【００３０】
一方、ディスプレイパット１０の磁石３は、実施の形態１のディスプレイパット１の磁石３と同位置に配設され、ディスプレイパット１、１０は、連結したり切り離したり（連結解除したり）できるようになっている。
【００３１】
このように、この実施の形態によれば、展示物ホルダ４によって展示物Ｓが所定の角度で保持されるため、展示の見栄えや外観、見やすさを良好にすることが可能となる。
【００３２】
以上、この考案の実施の形態について説明したが、具体的な構成は、上記の実施の形態に限られるものではなく、この考案の要旨を逸脱しない範囲の設計の変更等があっても、この考案に含まれる。例えば、上記の実施の形態では、パット本体２の長辺側の両側面２１、２２のみに磁石３を配設しているが、パット本体２の短辺側の側面にも磁石３を配設してもよい。また、連結手段を磁石３で構成しているが、フック（係止部）や鍵（嵌合部）などで連結手段を構成してもよく、さらに、パット本体２と別体的に（切り離して）連結手段を設けてもよい。
【００３３】
また、実施の形態２において、展示物ホルダ４をパット本体２に対して着脱自在にしてもよい。
【符号の説明】
【００３４】
１、１０  ディスプレイパット
２        パット本体      
２１、２２  側面
３        磁石（連結手段）
４        展示物ホルダ
Ｓ        展示物
【図１】
0003205726.tif 000003
【図２】
0003205726.tif 000004